(57)【要約】      （修正有）【課題】レンズメーターにおける被検レンズの光学特性を測定する際に、殊に最初に測定した所定の測定点（遠点または中点または近点等）の測定後の近点測定作業モードにおいて、近点に対する離間の程度と操作方向の適否の判断が単一の誘導マークのみを注視するだけで直感的に容易に判別でき、実用的に優れた効果を発揮する事が可能な近点誘導マークを提供する。【解決手段】近点誘導マークの横方向の寸法Ｂは、基準値となる遠点（最初の所定の測定点）のシリンダ値Ｃ０値と、シリンダ軸から左右方向に離れた測定点におけるシリンダ値のＣｎ値の差（Ｃｎ−Ｃ０）との比例関係の絶対値に対して増減する寸法関係として設定され、高さ方向の寸法Ｃは、絶対値に逆比例する寸法関係になるよう縦横比が決められると共に、遠点から近点に至る間の各測定点におけるＣｎ値の差（一致度）の設定区分に対応させて縦横比の異なる三角形を関連付けて設定する。【選択図】図２
2020051767.tif 000002
【特許請求の範囲】
【請求項１】
眼鏡フレームに枠入れされた眼鏡レンズや、加工前の丸レンズ等の被検レンズ等における光学特性を測定するための測定光学系と、当該測定光学系による被検レンズにおける各測定点における測定値の結果を画像として表示するディスプレイ手段と、上記測定光学系による測定値に基づいてその測定点が被検レンズの少なくとも近点であることを判定する判定手段を有するレンズメーターにおいて、被検レンズにおける最初に測定した所定の測定点におけるシリンダー値の測定値を基準値（Ｃ０値）とし、この所定の測定点から近点に至る間の累進帯の中央線に対応させた測定点における測定シリンダ値（Ｃｎ）と基準値との一致度に関する段階的な設定区分を設定すると共に、当該一致度の設定区分毎に縦横比の異なる三角形の近点誘導マークを設定し、測定値データのＣｎ値と設定区分毎における一致度の閾値との比較判定手段と、当該比較判定手段に基づいて該当する一致度に対応する一つの近点誘導マークを選択し、当該近点誘導マークへの表示切換え信号を発信する制御手段を設けて、近点誘導マークの三角形状の先端が常に近点方向を指し示し、かつ近点に一致したと判定された際には、所定時間の経過後には近点のホールドマークを表示するよう構成したことを特徴とするレンズメーターにおける近点誘導マーク。
【請求項２】
縦横比の異なる三角形の近点誘導マークは、測定点における測定値が累進帯の中央線に対する左右方向における設定された一致度の閾値を超えていると判定された場合に、その縦軸寸法が減少すると同時に横幅寸法が増した形状となるように縦横比を反映させた段階的な三角形の誘導マークを設定し、単一の誘導マークでありながら累進帯の中央線に対する左右方向の距離関係と累進帯の中央線に沿う近点に対する位置関係を、縦横比の異なる三角形の近点誘導マークとして選択的に表示するよう構成したことを特徴とする前記請求項１項記載のレンズメーターにおける近点誘導マーク。
【請求項３】
縦横比の異なる三角形の近点誘導マークは、近点を超えて行き過ぎた際に先端が上下反転表示されて近点方向を指し示すよう構成されていることを特徴とする前記請求項１及び請求項２記載のレンズメーターにおける近点誘導マーク。
【請求項４】
被検レンズが遠点近点を有する累進レンズであるとき、最初に測定した所定の測定点が遠点であることを特徴とする請求項１項、２項及び３項記載の何れか記載のレンズメーターにおける近点誘導マーク。
【請求項５】
被検レンズが中点近点を有する累進レンズであるとき、最初に測定した所定の測定点が中点であることを特徴とする請求項１項、２項及び３項記載の何れか記載のレンズメーターにおける近点誘導マーク。
【請求項６】
被検レンズが近点と近点を有する累進レンズであるとき、最初に測定した所定の測定点が第一の近点であることを特徴とする請求項１項、２項及び３項記載の何れか記載のレンズメーターにおける近点誘導マーク。
【発明の詳細な説明】
【技術分野】
【０００１】
本発明は、眼鏡フレームに枠入れされた眼鏡レンズや、加工前の丸レンズ等の被検レンズの光学特性を測定するための所謂レンズメーターに関し、殊に、被検レンズにおいて最初に測定した所定の測定点における測定値のＣ値（シリンダー値）を基準値とし、近点に至るまでの間における累進帯の中央線上の複数個の設定区分に対応させた縦横比の異なる三角形の近点誘導マークを設定して成る、レンズメーターにおける近点への誘導マークに関する。
【背景技術】
【０００２】
眼鏡フレームに枠入れされた眼鏡レンズや、加工前の丸レンズ等にかかわる光学技術分野において、これ等被検レンズの光学特性を測定するための所謂レンズメーターが使用されており、殊に被検レンズが累進帯を持つ場合には、その近点と遠点の光学特性を正確に把握すると共に、眼鏡使用者の視力状態に最適な度数の眼鏡を提供することが求められており、この傾向は上記遠近累進レンズの他に近年は、中点と近点を備えた所謂中近レンズや、近くを見ることに特化した近点と近点を備えた近々レンズ等の様々な累進レンズが提供されるようになってきているので、これ等の所定点（近点、遠点、中点）の光学特性を正確に把握することが強く求められるようになって来た。
更に、この被検レンズの光学特性を測定する光学機器装置としては、装置の測定精度の正確性が要求されていると共に、測定者に対しては、測定の熟練度が高いほど好ましいので、測定者にしてみれば測定に関する操作の容易性が求められているのが現状である。
【０００３】
そして、従来から使用されている光学機器装置としての代表的なレンズメーターにおいては、例えば下記の特許文献１の場合、その公報図面の図４からも明らかなように、遠用部の測定操作を行うときには、目標地点（遠点）のマーカー３２に対する測定点の位置を表す縦長のターゲットマーク３１を表示して、この両者を近付けるべく被検レンズの左右方向の移動調整操作を行い、両者が一致した時にはターゲット３１は横長のターゲットマーク３３へと変化し、被検レンズの上下方向の移動調整を行うよう構成され、更に、遠点測定に続いて近点測定を行うように操作するとき、横長のターゲット３３が被検レンズの累進部に導かれると、ターゲット３３は丸型のターゲットマーク３４へと変形し、これ等の遠用部測定にかかわる間を通じて、マーカー３２は被検レンズの移動操作する方向を表しているに過ぎないものであり、操作者はターゲット３１、３３、３４と変化する形状の変化を熟知した上で被検レンズの移動操作と測定操作を行わなければならないため、熟練と経験を要求されていることとなるばかりでなく、この先行例において近点測定を実施する場合には、公報図面の図６（ｄ）乃至図６（ｇ）の実施例からも明らかなように、新たな近用部測定ターゲット３５だけでなく、バーグラフマーク３８表示部における加入度数表示部３７並びに柱面度数表示部３９における夫々の数値を読み取って、被検レンズが適正に近点に導かれているかどうかを判断しなければならないので、操作者にとっては移動操作に関する熟練度と負担が更に増大してしまうものであった。
また、上記先行特許文献１における如き複雑なターゲットやマークの変化を伴うばかりでなく、測定値までも参照することの煩わしさ等を改善してなるレンズメーターの事例として、例えば下記の特許公報２に開示された事例も知られているが、この場合も公報図面の図４に開示されている累進レンズの遠用部のアライメント要領として、遠用部の中心を示す中心部ガイドマーク１００及び測定点を示すターゲットマーク１０１に加えて、被検レンズの累進帯方向への誘導用矢印マーク１０２が準備され、また、図５に開示されている近用部のアライメント要領の場合には、測定点が累進帯に位置していることを示すコロナマーク１２０と誘導用矢印マーク１２１が準備され、上記特許文献１に対して改善されてはいるものの、操作者は同時に少なくとも二種類のマーク類（遠点用のターゲット１０１と矢印１０２、及び近点用のコロナマーク１２０と矢印１２１）を夫々離れている状態から継続的に注視していなくてはならず、前記先行例に比べて観察すべき誘導マークの組合せが少なくなった分の改善が認められるものの、やはり操作上の熟練が必要になると共に煩わしさが残るものに過ぎない。
【０００４】
更に、レンズメーターにおける誘導マークの改良案として、例えば下記特許文献３に開示されている如き、本体ディスプレイ２におけるアライメント画面２ａ中の測定点を示すターゲットマーク１０１と、遠点用マーク１１０又は近点用マーク１２０に関し、夫々の測定位置において検出された測定値に基づく単位距離当たりの勾配を３段階に区分し、この区分に合わせて補正すべき（誘導すべき）被検レンズの上下方向に必要な移動の程度を表す矢印マーク１１１ａ、１１１ｂと、被検レンズの左右方向に必要な移動の程度を表す矢印マーク１１１ｃ、１１１ｄが設定（公報図面の図６参照）され、操作者はアライメント画面２ａに表示された上下方向の何れかの矢印マーク１１１ａ又は１１１ｂと左右方向の何れかの矢印マーク１１１ｃ又は１１１ｄの矢印の数に応じて被検レンズの遠点１１０又は近点１２０への操作すべき方向と離れた距離の程度を把握するように構成されているものであるが、この場合も近接されてはいるが必ず直交する二つの矢印マークを見ながら操作する必要があるため、やはり前記先行特許文献２におけると同様な操作上の熟練が必要とされると共に煩わしさが残るものであることを免れないものである。
【先行技術文献】
【特許文献】
【０００５】
【特許文献１】特開平０６−５８８４２号公報
【特許文献２】特開２００３−７５２９６号公報
【特許文献３】特開２００６−５８２４８号公報
【発明の概要】
【発明が解決しようとする課題】
【０００６】
本発明は、この種の光学機器装置としてのレンズメーターにおける被検レンズの光学特性を測定する際に、殊に最初に測定した所定の測定点（遠点または中点または近点等）の測定後の近点測定作業モードにおいて、光学特性の測定精度に優れているばかりでなく、殊に操作者による被検レンズの近点に対する操作方向の把握が、単一の誘導マークのみを注視するだけで視覚的に把握でき、然もその近点に対する離間の程度と操作方向の適否の判断も単一の誘導マークのみを注視するだけで直感的に容易に判別できるので、今まで操作者に求められていた熟練を要することなく測定操作を正確に行うことができる等、実用的に優れた効果を発揮する事が可能な近点誘導マークを提供することを課題としてなされたものである。
【課題を解決するための手段】
【０００７】
本発明は、眼鏡フレームに枠入れされた眼鏡レンズや、加工前の丸レンズ等の被検レンズ等における光学特性を測定するための測定光学系と、当該測定光学系による被検レンズにおける各測定点における測定値の結果を画像として表示するディスプレイ手段と、上記測定光学系による測定値に基づいて測定点が被検レンズの少なくとも近点であることを判定する判定手段を有するレンズメーターにおいて、被検レンズにおける最初に測定した所定の測定点におけるシリンダー値の測定値を基準値（Ｃ０値）とし、この所定の測定点から近点に至る間の累進帯の中央線に対応させた測定点における測定シリンダ値（Ｃｎ）と基準値との一致度に関する段階的な区分を設定すると共に、当該一致度の設定区分毎に縦横比の異なる三角形の近点誘導マークを設定し、測定値データのＣｎ値と設定区分毎に設定された一致度の閾値との比較判定手段と、当該比較判定手段に基づいて該当する一致度に対応する一つの近点誘導マークを選択し、当該近点誘導マークへの表示切換え信号を発信する制御手段を設けて、近点誘導マークの三角形状の先端が常に近点方向を指し示し、かつ近点に一致したと判定された際には、所定時間の経過後に近点のホールドマークを表示するよう構成したことを特徴とするものである。
【０００８】
また、本発明における縦横比の異なる三角形の近点誘導マークは、測定点における測定値が累進帯の中央線に対する左右方向における設定された一致度の閾値を超えていると判定された場合に、その縦軸寸法が減少すると同時に横幅寸法が増した形状となるように縦横比を反映させた段階的な三角形の誘導マークを設定し、単一の誘導マークでありながら累進帯の中央線に対する左右方向の距離関係と累進帯の中央線に沿う近点に対する位置関係を、縦横比の異なる三角形の近点誘導マークとして選択的に表示するよう構成したことを特徴とするものである。
【０００９】
更にまた、本発明における縦横比の異なる三角形の近点誘導マークは、近点を越えて行き過ぎた際に先端が自動的に上下反転表示されて近点方向を指し示すよう構成されていることを特徴とするものである。
【００１０】
そして本発明においては、最初に測定した所定の測定点におけるＣ値（シリンダー値）の測定値を基準値（Ｃ０値）とし、この所定の測定点から近点に至る間の累進帯の中央線に対応させた一致度の段階的な設定区分と、当該一致度の設定区分毎に縦横比の異なる三角形の近点誘導マークを対応させて設定し、測定値データのＣｎ値と設定区分毎に設定された一致度の閾値を比較判定して、該当する一致度に対応する一つの近点誘導マークを選択して表示するよう構成されていることを特徴とすると共に、被検レンズが累進レンズ、中近レンズ及び近近レンズの何れの場合であっても、最初に測定する所定の測定点として夫々遠点または中点または第一の近点を最初に測定する基準の測定点とすればよいので、何れの被検レンズであっても支障なく対応できることを特徴とするものである。
【発明の効果】
【００１１】
本発明においては、眼鏡フレームに枠入れされた眼鏡レンズや、加工前の丸レンズ等の被検レンズ等における光学特性を測定するための測定光学系と、当該測定光学系による被検レンズにおける各測定点における測定値の結果を画像として表示するディスプレイ手段と、上記測定光学系による測定値に基づいてその測定点が被検レンズの少なくとも近点であることを判定する判定手段を有するレンズメーターにおいて、被検レンズにおける最初に測定した所定の測定点におけるシリンダー値の測定値を基準値（Ｃ０値）とし、この所定の測定点から近点に至る間の累進帯の中央線に対応させた測定点における測定シリンダ値（Ｃｎ）と基準値との一致度に関する段階的な区分を設定すると共に、当該一致度の設定区分毎に縦横比の異なる三角形の近点誘導マークを設定し、測定値データのＣｎ値と設定区分毎における一致度の閾値との比較判定手段と、当該比較判定手段に基づいて該当する一致度の閾値に対応する一つの近点誘導マークを選択し、当該近点誘導マークへの表示切換え信号を発信する制御手段を設けて、近点誘導マークの三角形状の先端が常に近点方向を指し示し、かつ近点に一致したと判定された際には、所定時間の経過後に近点のホールドマークを表示するよう構成したので、段階的な一致度の設定区分の設定数を例えば十段回に区分することにより、累進帯の中央線に沿う方向の測定と表示精度を容易に向上させることができるばかりでなく、その設定区分毎の左右方向のＣ値の差との一致度の閾値を、適宜（例えば等価球面度数０．０１以下に）定めることにより、近点への誘導精度を軸振れなく格段に向上させたレンズメーターを提供することができ、実用的に遥かに優れたものとすることができるのである。
【００１２】
また、本発明における縦横比の異なる三角形の近点誘導マークは、測定点における測定値が累進帯の中央線に対する左右方向における設定された一致度の閾値を超えていると判定された場合に、その縦軸寸法が減少すると同時に横幅寸法が増した形状となるように縦横比を反映させた段階的な三角形の誘導マークを設定し、単一の近点誘導マークでありながら累進帯の中央線に対する左右方向の距離関係と累進帯の中央線に沿う近点に対応する位置関係を、縦横比の異なる三角形の近点誘導マークとして選択的に表示するよう構成したので、左右方向の一致度の閾値を限りなくゼロに近い値に設定することも可能なので、測定点が累進帯の中央線から大幅に外れることがないうえに、操作者は一つの近点誘導マークを見ているだけで、視覚的にも直感的にも自己の操作方向の妥当性と移動行為が適正であるか否かを容易に見極めることができるので、今までの光学機器装置において要求されていた操作者の熟練度を皆無となし、操作者の負担を大幅に軽減できる実用的に優れた装置を提供することができる効果を発揮するのである。
【００１３】
更に加えて、本発明における縦横比の異なる三角形の近点誘導マークは、近点を超えて行き過ぎた際に先端が自動的に上下反転表示されて近点方向を指し示すよう構成されていることを特徴とするので、一つの近点誘導マークを見て被検レンズを操作しているだけで近点方向の把握が視覚的にできて便利であると共に、操作性の手順を変更することなく目的の誘導マークが表示されるように操作するだけで良く、従って操作性に優れているものとすることができるのである。
【００１４】
そして本発明においては被検レンズが何れであっても、最初に測定した所定の測定点におけるＣ値（シリンダー値）の測定値を基準値とし、この所定の測定点から近点に至る間の累進帯の中央線に対応させた一致度の設定区分と、これ等の設定区分毎に縦横比の異なる三角形の近点誘導マークを対応させて設定し、測定値データのＣｎ値と設定区分毎に設定された一致度の閾値を比較判定して、該当する一致度に対応する一つの近点誘導マークを選択して表示するよう構成されていることを特徴とするので、被検レンズが遠近レンズ、中近レンズ及び近近レンズ等の何れの累進レンズであっても、夫々遠点または中点または第一の近点を最初に測定する基準の測定点とすればよいので、正確な近点測定モードにおける近点誘導マークを提供することができるのである。
【図面の簡単な説明】
【００１５】
【図１】一般的なレンズメーターの説明用外観図。
【図２】本発明にかかる近点誘導マークの代表的な形状変化を表す説明図と、従来              の方式における二種類の誘導マークの事例を表す説明図。
【図３】本発明の近点誘導マークと段階的な設定区分毎の測定値との対応関係を表す説明用対象表。
【図４】本発明の近点誘導マークを用いたレンズメーターにおける制御回路の一例              を示す説明用回路図。
【図５】本発明の近点誘導マークを用いたレンズメーターにおける近点ホールド状態を表示するディスプレイ画面の一例を示す説明図。
【図６】本発明の近点誘導マークを用いたレンズメーターにおける遠点ホールド状態を表示するディスプレイ画面の一例を示す説明図。
【発明を実施するための形態】
【００１６】
以下本発明の一実施例について図面を参照しつつ説明する。
図１は、本発明の適用対象となるレンズメーターの外観を表す説明図で、レンズメーターの基台２０ａに突設された光源を内蔵した下部収納部２１と、この上面に設けられた被検レンズの載置台としてのノーズピース受２２、及びこれ等に対向して同軸的に本体上部に配置された受光部を内蔵した上部収納部２３やレンズ押え２４と、眼鏡フレームを押し当てるレンズテーブル２５が設けられていると共に、上記上部収納部２３の前面には、被検レンズの模擬的な形状や測定データを表示すると共に、近点マークや遠点マークを表示するためのディスプレイ２６が配置され、併せて被検レンズに対する印点操作を行うための印点レバー２７等が装備されており、図中２８は光学測定作業を完結させる際のホールドボタンを示し、これ等の構成は一般的なレンズメーターにおける構成と基本的に変わりはないので、その機能的な説明並びに操作要領などについては、詳細な説明を省略することとする。
【００１７】
本発明は、レンズメーター本体に特徴があるのではなく、被検レンズの測定時において上記ディスプレイ２６に表示すべき誘導マークに関するものであり、遠点測定中における後述する遠点マークや被検レンズの操作方向、及び測定点の位置の表示マーク等に関する変更はないが、遠点測定に引き続いて行うところの殊に、近点測定作業中において単一表示するところの近点誘導マークに関するものであり、個々の近点誘導マーク自体は、縦横比の異なる三角形を主体とする特殊な誘導マークを特徴とするものである。
以下図２乃至図５に基づいて詳述するに、図２ａに示す誘導マークの事例は、被検レンズの光学特性を測定する際に一般的に用いられているところの、測定点が左右方向にズレていることを指し示す左右方向の三角矢印イ、ロと、被検レンズを上下方向（前後方向）の何れかに移動させるべきことを指し示す三角矢印ハの事例を示すものであり、これ等の従来多用されている二種類の三角矢印イ、ロ、ハに対して、本発明にかかる縦横比が段階的に異なるよう設定された近点誘導マーク１は、図２ｂにその代表的な一例を示す如き近点誘導マーク１ａ又は１ｎの何れか一種類の近点誘導マーク（１ａまたは１ｎ）が設定に基づいて選択され、この一種類の近点誘導マーク（１ａまたは１ｎ）の一つをディスプレイ２６に表示することを特徴とするものである。
【００１８】
つまり、本発明にかかる近点誘導マーク１は、前記したように遠点のホールド後に、引き続いて近点の測定を行う際において、例えば近点誘導マーク１ａにおける横方向の幅寸法のＢが、遠点において最初に測定されたシリンダ値を基準値のＣ０値としたとき、このＣ０値と任意の測定点において測定されたシリンダ値Ｃｎとの差（例えば、差が仮にゼロであるならば一致度が高く、然もズレ量も少ないことを意味することとなる）のレベルに対応させて設定されているものである。
即ち、図２ｂに示す近点誘導マーク１の横方向の寸法Ｂは、上記基準値となる遠点（最初の所定の測定点）のシリンダ値Ｃ０値と、シリンダ軸から左右方向に離れた測定点におけるシリンダ値のＣｎ値の差（Ｃｎ−Ｃ０）との比例関係の絶対値に対して増減する寸法関係として設定され、一方高さ方向の寸法Ｃは、上記絶対値に逆比例する寸法関係になるよう縦横比が決められると共に、これ等を更に段階的に、例えば本実施例の場合は、最初の基準となる測定点の遠点から近点に至る各測定点における高さ（Ｃ寸法）と幅（Ｂ寸法）の関係を、例えば十段階に区分すると共に、当該遠点から近点に至る間の各測定点における測定値（Ｃｎ値）の差（一致度）の設定区分の夫々に対応させて各々縦横比の異なる三角形を関連付けて設定し、例えば近点測定中に得られた任意の測定点の測定値が、後述の比較演算回路によりこれ等の段階的に設定された一致度の設定区分における縦横比の何れかに近い値を持っている測定点であると判定されることにより、図３の対照表の如く、当該測定点の測定値に対して割り当てられた縦横比の近点誘導マーク１ａ乃至１ｎの何れか一つの近点誘導マーク１が選択され、これを近点測定時においてディスプレイ２６の画面に表示するよう構成したものである。
【００１９】
なお、上記した近点誘導マーク１は、最初に測定された所定の測定点としての遠点の基準測定値のＣ０値と任意点の測定値のＣｎ値との差、即ち換言するならば一致度とも言えるものであるが、この一致度と言う観点から見た場合、差の大小に限らず、例えばＣｎ／Ｃ０の比の割合を計算して、その計算値が１或いは１００％に近い程、測定点の一致度が高いものと言うことができるので、当該シリンダ値の割合（Ｃｎ／Ｃ０）の計算値に応じて近点誘導マーク１の三角マークの縦横比Ｃ／Ｂを設定して、これを図３の対照表の如く対応させることもできるものであり、こうして得た近点誘導マーク１の三角形の縦横比を以って、累進帯の中央線に対する左右方向の距離関係と、累進帯の中央線に沿った最初の所定の測定点である遠点から近点までの間の各測定点に対応させて段階的に設定された一致度の閾値を夫々対応させ、一つの誘導マークで双方の距離と位置関係を同時に表すように構成しても良く、その他適当な対比条件を以って近点誘導マーク１を設定することも可能であり、何れも本発明の技術的範囲に含まれるものである。
【００２０】
そして、上記の段階的に設定されたシリンダ値Ｃｎ値の差について更に詳述するに、例えば累進帯を有する被検レンズの場合、遠点をホールドした際のシリンダ値Ｃ０を最初の所定の測定点の基準値とするので、この遠点からの同一シリンダ面上の左右方向へのズレ量（距離）は、任意の測定点のシリンダ値Ｃｎが累進帯の中央線に近いほど少ないこととなり、前記シリンダ値の差（Ｃｎ−Ｃ０）の絶対値の許容可能な閾値を小さく設定すればするほど、測定及び誘導にかかわる精度の向上が果たせることとなると共に、累進帯の中央線に沿う遠点から近点までの間の位置関係を、例えば等価球面度数を用いて段階的（十段階）に区分することと併せて、これ等の設定区分毎に前述の比例及び反比例関係の下に幅寸法Ｂと高さ寸法Ｃを設定してなる縦横比の異なる三角形を呈する近点誘導マーク１ａ乃至１ｎについて、これ等を図３に一例を示す如き一致度の閾値区分と誘導マークの対象表として設定してなり、当該対象表に基づく近点誘導マーク１の選択判別を行う後述の判別手段４を有する制御回路５を設けてなることを特徴とするものであり、何れにしても本発明の場合、近点測定の際にディスプレイ２６に表示される近点誘導マーク１は、累進帯の中央線からの左右のズレ量（距離）と累進帯の中央線に沿う近点までの間の測定点に対して一致度の閾値区分として段階的に設定された測定点の位置関係を、一つの誘導マークにより同時に然も段階的に表示することになるので、操作者は上記した近点誘導マーク１が図３の対象表に設定された最終的な近点位置の表示マーク１０となるように被検レンズを動かすだけで、自動的にかつ正確に誘導されるばかりでなく、操作者は視覚的に一つの近点誘導マーク１のみを見ていれば良いと共に、その操作方向の適否判断についても直感的に近点誘導マーク１の形状により判断できるのである。
つまり更に付言するならば、本発明においては近点誘導マークの三角形の縦横比を以って、累進帯の中央線に対する左右方向の距離関係と累進帯の中央線に沿った遠点から近点までの間に対して一致度毎に設定された位置関係を夫々対応させ、一つの誘導マークで双方の距離と位置関係を同時に表すように構成したことを特徴とするものである。
【００２１】
また本発明における近点誘導マーク１の制御と判別回路の代表的な一例について、図４を参照して説明するに、本発明の近点誘導マーク１を表示する光学機器装置としてのレンズメーター（例えば図１参照）には、測定光学系としての光源と所定の点像を受像する受像手段と、測定データから被検レンズのシリンダ値、プリズム値、球面度数、屈折率等の光学特性を演算する演算手段２を備えていることは勿論であり、特徴とするところは、前記したように、所定の一致度の閾値の下に段階的に設定区分された（図３参照）対象表データと任意の測定点の測定値を比較する比較回路部３と、当該比較結果に基づいて対応する最適な縦横比の異なる近点誘導マーク１を選択判別する判別手段４、及びその選択結果をディスプレイ２６に表示させるべく信号指示制御を司る制御回路５を具備している。
なお、これ等の縦横比の異なる三角形の近点誘導マーク１と所定の一致度の閾値の下に段階的に区分設定された対象表に対する制御に関する構成は、図示説明をしたものに限定されるものではなく、他の適当な制御回路の構成を採用しても良い。
【００２２】
次に、被検レンズの測定要領について、以下図５及び図６を参照しつつ説明する。
図５は本発明の近点誘導マーク１を適用したレンズメーターにおける近点測定モードの時のディスプレイ画面の一実施例を示し、図６はレンズメーターにおける遠点測定モードの時のディスプレイ画面の一実施例を示す。
近点測定モードに先立って、測定操作者は最初に通常の遠点測定を行う。この時図６のディスプレイ画面には、被検レンズの左右方向への移動指示マーク６ａ、６ｂまたは遠点方向を指示するための前後方向への移動指示マーク６ｃの何れかと、遠点マーク７及び、その時の測定点の位置を示すカーソルマーク８が夫々表示されることとなるが、これ等の左右方向への移動指示マーク６ａ、６ｂまたは前後方向への移動指示マーク６ｃによる表示では、操作者は左右何れの方向へ被検レンズをどれだけの量だけ移動すればよいか判断できないばかりか、左右に移動してもこの移動指示マーク６ａ、６ｂの三角形状は変わることがなく、また、前後方向への移動指示マーク６ｃが表示されていて方向が判別できたとしても、その移動操作量に伴って移動指示マーク６ｃの形状が変化することがないので、操作者はその誘導操作に熟練度が要求されることとなるものであり、この遠点測定モード画面に関しては、本発明におけるメリットも変更もない。
本発明が対象とするところは、最初の所定の測定点として遠点マーク７が表示された図６の状態から図５に示す近点測定モードに移行した場合であるので、以下これを詳述することとする。
上記遠点マーク７が把握されると、前記したように最初の測定点としての遠点のシリンダ値Ｃ０を基準値とし、その他に測定可能な球面度数やプリズム値、或いは乱視度数などの測定値についてこれ等をレンズメーター内に記憶させておく。
その後、その時の任意の測定点の位置に応じて測定されたシリンダ値Ｃｎに対応して、前記制御回路５に従って選択された段階的に設定された距離区分に対応する一つの縦横比の異なる三角形の近点誘導マーク１がディスプレイ２６に表示され、この近点誘導マーク１は、前記したように被レンズの移動に合わせて段階的に自動的に変化し、被検レンズの移動方向が正しく表示され、かつ累進帯の中央線に対するズレの範囲が許容範囲である限り、左右の横幅Ｂが減少すると同時に高さ方向のＣ寸法が増大した三角形の近点誘導マーク１から最終的な近点誘導マーク１０へと変化してディスプレイ２６に表示されるので、操作者はとにかく段階的に近点誘導マーク１が変化する方向へと、視覚的にも直感的にも被検レンズを移動するだけで近点誘導目的を達成することができ、操作上の熟練度がなくても容易に操作できるのである。なお、図５中の符号９は近点測定時のカーソル位置を示す近点のカーソルマークである。
【００２３】
更に、操作者が近点位置を超えて被検レンズを行き過ぎ操作してしまった場合には、先の図３に示したように縦横比の異なる三角形の近点誘導マーク１が、正確な近点の方向を指し示すように近点誘導マーク１が図中符号１１で示すように反転表示されるので、操作者は容易に近点を超えて操作してしまった状況を把握でき、被検レンズの移動方向の修正操作を行うことができるのである。
そして、段階的に設定された区分の夫々に対応する縦横比の異なる三角形の近点誘導マーク１が最終的に近点の究極マーク１０に所定時間保持されると、自動的に近点ホールドモードへと移行する。
なお、これ等の近点の究極マーク１０の形状や近点カーソルマーク９等の形状は、これ等実施例に限定されるものではなく、必要に応じて種々変更した形状を採用しても構わないと共に、段階的な設定区分についても実施例の如く十段階に設定することに限定されるものではなく、必要に応じて十段段階以上か十段階以下にも設定することができるが、比較的多い方が精度を向上できると共に、設定される区分毎の閾値についてもできるだけ厳しい数値に設定するこにより、誘導精度を向上できることは言うまでもない。
加えて、図５及び図６に示したレンズメーターのディスプレイ画面についても、図示したレイアウト形状に限定されることなく、種々変更しても構わない。
【００２４】
なお上記した実施例では、被検レンズが累進レンズである場合の近点誘導モードの事例について、その基準とすべき最初の所定の測定点を遠点とした実施例について説明して来たが、本発明はこれに限らず、被検レンズがその他の中近レンズまたは近近レンズの場合であっても、最初にシリンダ値を測定する所定の測定点を夫々中点または第一の近点とし、そのシリンダ値を基準値（Ｃ０値）とするだけで良いので、種々の形式の累進レンズにおいても縦横比の異なる三角形の近点誘導マークを使用することができ、近点への誘導操作性の向上と操作者にとって扱いやすいレンズメーターを提供できるものである。
【産業上の利用可能性】
【００２５】
本発明は光学機器装置としてのレンズメーターにおいて、その近点測定モードにおける近点誘導マークとして極めて有用で、レンズメーターの操作者にとって画期的な操作性と誘導精度が得られるもので、利用可能性が高い。
【符号の説明】
【００２６】
１    近点誘導マーク
１ｎ  段階的な設定区分に対応した近点誘導マーク
２    光学特性の測定演算部
３    比較演算部
４    選択判別する判別手段
５    制御回路
Ｂ    近点誘導マークの幅方向の寸法
Ｃ    近点誘導マークの高さ方向の寸法
１０  近点誘導マークの最終形状
【図１】
2020051767.tif 000003
【図２】
2020051767.tif 000004
【図３】
2020051767.tif 000005
【図４】
2020051767.tif 000006
【図５】
2020051767.tif 000007
【図６】
2020051767.tif 000008
【手続補正書】
【提出日】令和1年8月20日(2019.8.20)
【手続補正１】
【補正対象書類名】明細書
【補正対象項目名】全文
【補正方法】変更
【補正の内容】
【発明の詳細な説明】
【技術分野】
【０００１】
本発明は、眼鏡フレームに枠入れされた眼鏡レンズや、加工前の丸レンズ等の被検レン
ズの光学特性を測定するための所謂レンズメーターに関し、殊に、被検レンズにおいて最
初に測定した所定の測定点における測定値のＣ値（シリンダー値）を基準値とし、近点に
至るまでの間における累進帯の中央線上の複数個の設定区分に対応させた縦横比の異なる
三角形の近点誘導マークを設定して成る、レンズメーターにおける近点への誘導マークの
表示手段に関する。
【背景技術】
【０００２】
眼鏡フレームに枠入れされた眼鏡レンズや、加工前の丸レンズ等にかかわる光学技術分
野において、これ等被検レンズの光学特性を測定するための所謂レンズメーターが使用さ
れており、殊に被検レンズが累進帯を持つ場合には、その近点と遠点の光学特性を正確に
把握すると共に、眼鏡使用者の視力状態に最適な度数の眼鏡を提供することが求められて
おり、この傾向は上記遠近累進レンズの他に近年は、中点と近点を備えた所謂中近レンズ
や、近くを見ることに特化した近点と近点を備えた近々レンズ等の様々な累進レンズが提
供されるようになってきているので、これ等の所定点（近点、遠点、中点）の光学特性を
正確に把握することが強く求められるようになって来た。
更に、この被検レンズの光学特性を測定する光学機器装置としては、装置の測定精度の正
確性が要求されていると共に、測定者に対しては、測定の熟練度が高いほど好ましいので
、測定者にしてみれば測定に関する操作の容易性が求められているのが現状である。
【０００３】
そして、従来から使用されている光学機器装置としての代表的なレンズメーターにおい
ては、例えば下記の特許文献１の場合、その公報図面の図４からも明らかなように、遠用
部の測定操作を行うときには、目標地点（遠点）のマーカー３２に対する測定点の位置を
表す縦長のターゲットマーク３１を表示して、この両者を近付けるべく被検レンズの左右
方向の移動調整操作を行い、両者が一致した時にはターゲット３１は横長のターゲットマ
ーク３３へと変化し、被検レンズの上下方向の移動調整を行うよう構成され、更に、遠点
測定に続いて近点測定を行うように操作するとき、横長のターゲット３３が被検レンズの
累進部に導かれると、ターゲット３３は丸型のターゲットマーク３４へと変形し、これ等
の遠用部測定にかかわる間を通じて、マーカー３２は被検レンズの移動操作する方向を表
しているに過ぎないものであり、操作者はターゲット３１、３３、３４と変化する形状の
変化を熟知した上で被検レンズの移動操作と測定操作を行わなければならないため、熟練
と経験を要求されていることとなるばかりでなく、この先行例において近点測定を実施す
る場合には、公報図面の図６（ｄ）乃至図６（ｇ）の実施例からも明らかなように、新た
な近用部測定ターゲット３５だけでなく、バーグラフマーク３８表示部における加入度数
表示部３７並びに柱面度数表示部３９における夫々の数値を読み取って、被検レンズが適
正に近点に導かれているかどうかを判断しなければならないので、操作者にとっては移動
操作に関する熟練度と負担が更に増大してしまうものであった。
また、上記先行特許文献１における如き複雑なターゲットやマークの変化を伴うばかりで
なく、測定値までも参照することの煩わしさ等を改善してなるレンズメーターの事例とし
て、例えば下記の特許公報２に開示された事例も知られているが、この場合も公報図面の
図４に開示されている累進レンズの遠用部のアライメント要領として、遠用部の中心を示
す中心部ガイドマーク１００及び測定点を示すターゲットマーク１０１に加えて、被検レ
ンズの累進帯方向への誘導用矢印マーク１０２が準備され、また、図５に開示されている
近用部のアライメント要領の場合には、測定点が累進帯に位置していることを示すコロナ
マーク１２０と誘導用矢印マーク１２１が準備され、上記特許文献１に対して改善されて
はいるものの、操作者は同時に少なくとも二種類のマーク類（遠点用のターゲット１０１
と矢印１０２、及び近点用のコロナマーク１２０と矢印１２１）を夫々離れている状態か
ら継続的に注視していなくてはならず、前記先行例に比べて観察すべき誘導マークの組合
せが少なくなった分の改善が認められるものの、やはり操作上の熟練が必要になると共に
煩わしさが残るものに過ぎない。
【０００４】
更に、レンズメーターにおける誘導マークの改良案として、例えば下記特許文献３に開
示されている如き、本体ディスプレイ２におけるアライメント画面２ａ中の測定点を示す
ターゲットマーク１０１と、遠点用マーク１１０又は近点用マーク１２０に関し、夫々の
測定位置において検出された測定値に基づく単位距離当たりの勾配を３段階に区分し、こ
の区分に合わせて補正すべき（誘導すべき）被検レンズの上下方向（遠近方向）の必要な
移動の程度を表す矢印マーク１１１ａ、１１１ｂと、被検レンズの左右方向のずれに対する必要な移動の程度を表す矢印マーク１１１ｃ、１１１ｄが設定（公報図面の図６参照）
され、操作者はアライメント画面２ａに表示された上下方向（遠近方向）の何れかの矢印
マーク１１１ａ又は１１１ｂと左右方向の何れかの矢印マーク１１１ｃ又は１１１ｄの矢
印の数に応じて被検レンズの遠点１１０又は近点１２０への操作すべき方向と離れた距離
の程度を把握するように構成されているものであるが、この場合も近接されてはいるが必
ず少なくとも直交する二方向の矢印マーク（上下左右の４方向の矢印マーク１１１ａ、１
１１ｂと１１１ｃ、１１１ｄ）を見ながら操作する必要があるため、やはり前記先行特許
文献２におけると同様な操作上の熟練が必要とされると共に煩わしさが残るものであるこ
とを免れないものである。
【先行技術文献】
【特許文献】
【０００５】
【特許文献１】特開平０６−５８８４２号公報
【特許文献２】特開２００３−７５２９６号公報
【特許文献３】特開２００６−５８２４８号公報
【発明の概要】
【発明が解決しようとする課題】
【０００６】
本発明は、この種の光学機器装置としてのレンズメーターにおける被検レンズの光学特
性を測定する際に、殊に最初に測定した所定の測定点（遠点または中点または近点等）の
測定後の近点測定作業モードにおいて、光学特性の測定精度に優れているばかりでなく、
殊に操作者による被検レンズの近点に対する操作方向の把握が、単一の誘導マークのみを
注視するだけで視覚的に把握でき、然もその近点に対する離間の程度と操作方向の適否の
判断も単一の誘導マークのみを注視するだけで直感的に容易に判別できるので、今まで操
作者に求められていた熟練を要することなく測定操作を正確に行うことができる等、実用
的に優れた効果を発揮する事が可能なレンズメーターにおける近点誘導マークの表示手段
を提供することを課題としてなされたものである。
【課題を解決するための手段】
【０００７】
本発明は、眼鏡フレームに枠入れされた眼鏡レンズや、加工前の丸レンズ等の被検レン
ズ等における光学特性を測定するための測定光学系と、当該測定光学系による被検レンズ
における各測定点における測定値の結果を画像として表示するディスプレイ手段と、上記
測定光学系による測定値に基づいてその測定点が被検レンズの少なくとも近点であること
を判定する判定手段を有するレンズメーターにおいて、被検レンズにおける最初に測定し
た所定の測定点におけるシリンダー値の測定値を基準値（Ｃ０値）とし、この所定の測定
点から近点に至る間の累進帯の中央線に対応させて複数の区分を設け、当該複数の区分に
対応させた測定点における測定シリンダ値（Ｃｎ値）と基準値との一致度に関する段階的
な設定区分を設定すると共に、当該一致度の設定区分毎に縦横比の異なる三角形の近点誘
導マークを設定し、測定値データのＣｎ値と設定区分毎における一致度の閾値との比較演
算手段と、当該比較演算手段に基づいて該当する一致度に対応する一つの近点誘導マーク
を選択して該当する近点誘導マークへの表示切換え信号を前記ディスプレイ手段へ発信す
る判別制御手段を設け、近点誘導マークの三角形状の先端が常に近点方向を指し示し、か
つ近点に一致したと判定された際には、所定時間の経過後に、三角形の近点誘導マークを
近点のホールドマークに変更表示するようレンズメーターにおける近点誘導マークの表示
手段を構成したことを特徴とするものである。
【０００８】
また、本発明における縦横比の異なる三角形の近点誘導マークを有する近点誘導マーク
の表示手段は、測定点における測定値が累進帯の中央線に対する左右方向における設定さ
れた一致度の閾値を超えていると判定された場合に、その縦軸寸法が減少すると同時に横
幅寸法が増した形状となるように縦横比を反映させた段階的な三角形の近点誘導マークの
区分を設定し、単一の近点誘導マークでありながら累進帯の中央線に対する左右方向の距
離関係と累進帯の中央線に沿う近点に対する位置関係を、縦横比の異なる三角形の近点誘
導マークとして選択的に表示するよう構成したことを特徴とするものである。
【０００９】
更にまた、本発明における縦横比の異なる三角形の近点誘導マークを有する近点誘導マ
ークの表示手段は、測定位置が近点を越えて行き過ぎた際に、三角形の近点誘導マークの
先端が自動的に上下反転表示されて近点方向を指し示すよう構成されていることを特徴と
するものである。
【００１０】
そして本発明においては、最初に測定した所定の測定点におけるＣ値（シリンダー値）
の測定値を基準値（Ｃ０値）とし、この所定の測定点から近点に至る間の累進帯の中央線
に対応させた測定点毎の測定シリンダ値（Ｃｎ値）と基準値（Ｃ０値）との一致度に関す
る段階的な閾値に関する設定区分と、これ等の設定区分毎に縦横比の異なる三角形の近点
誘導マークを対応させて設定し、測定値データのＣｎ値と設定区分毎に設定された一致度
の閾値を比較判定して、該当する一致度に対応した一つの近点誘導マークを選択し、当該
近点誘導マークをレンズメーターのディスプレイに表示するよう近点誘導マークの表示手
段が構成されていることを特徴とすると共に、被検レンズレが累進レンズ、中近レンズ及
び近近レンズの何れの場合であっても、最初に測定する所定の測定点として夫々遠点また
は中点または第一の近点を最初に測定する基準の測定点とすればよいので、何れの仕様形
態の被検レンズであっても支障なく対応できることを特徴とするものである。
【発明の効果】
【００１１】
本発明においては、眼鏡フレームに枠入れされた眼鏡レンズや、加工前の丸レンズ等の
被検レンズ等における光学特性を測定するための測定光学系と、当該測定光学系による被
検レンズにおける各測定点における測定値の結果を画像として表示するディスプレイ手段
と、上記測定光学系による測定値に基づいてその測定点が被検レンズの少なくとも近点で
あることを判定する判定手段を有するレンズメーターにおいて、被検レンズにおける最初
に測定した所定の測定点におけるシリンダー値の測定値を基準値（Ｃ０値）とし、この所
定の測定点から近点に至る間の累進帯の中央線に対応させて複数の区分を設け、当該複数
の区分に対応させた測定点における測定シリンダ値（Ｃｎ値）と基準値との一致度に関す
る段階的な設定区分を設定すると共に、当該一致度の設定区分毎に縦横比の異なる三角形
の近点誘導マークを設定し、測定値データのＣｎ値と設定区分毎における一致度の閾値と
の比較演算手段と、当該比較演算手段に基づいて該当する一致度の閾値に対応する一つの
近点誘導マークを選択して該当する近点誘導マークへの表示切換え信号を前記ディスプレ
イ手段へ発信する判別制御手段を設け、近点誘導マークの三角形状の先端が常に近点方向
を指し示し、かつ近点に一致したと判定された際には、所定時間の経過後に、三角形の近
点誘導マークを近点のホールドマークに変更表示するようレンズメーターにおける近点誘
導マークの表示手段を構成したので、段階的な一致度の設定区分の設定数を例えば十段階
に区分することにより、累進帯の中央線に沿う方向の測定と表示精度を容易に向上させる
ことができるばかりでなく、その設定区分毎の左右方向のＣ値の差との一致度の閾値を、
適宜（例えば等価球面度数０．０１以下に）定めることにより、近点への誘導精度を軸振
れなく格段に向上させたレンズメーターを提供することができ、実用的に遥かに優れたも
のとすることができるのである。
【００１２】
また、本発明における縦横比の異なる三角形の近点誘導マークを有する近点誘導マーク
の表示手段は、測定点における測定値が累進帯の中央線に対する左右方向における設定さ
れた一致度の閾値を超えていると判定された場合に、その縦軸寸法が減少すると同時に横
幅寸法が増した形状となるように縦横比を反映させた段階的な三角形の近点誘導マークの
区分を設定し、単一の近点誘導マークでありながら累進帯の中央線に対する左右方向の距
離関係と累進帯の中央線に沿う近点に対する位置関係を、縦横比の異なる三角形の近点誘
導マークとして選択的に表示するよう構成したので、左右方向の一致度の閾値を限りなく
ゼロに近い値に設定することも可能なので、測定点が累進帯の中央線から大幅に外れるこ
とがないうえに、操作者は一つの近点誘導マークを見ているだけで、視覚的にも直感的に
も自己の操作方向の妥当性と移動行為が適正であるか否かを容易に見極めることができる
ので、今までの光学機器装置において要求されていた操作者の熟練度を皆無となし、操作
者の負担を大幅に軽減できる実用的に優れた装置を提供することができる効果を発揮する
のである。
【００１３】
更に加えて、本発明における縦横比の異なる三角形の近点誘導マークを有する近点誘導
マークの表示手段は、測定位置か近点を超えて行き過ぎた際に、三角形の近端誘導マーク
の先端が自動的に上下反転表示されて近点方向を指し示すよう構成されていることを特徴
とするので、一つの近点誘導マークを見て被検レンズを操作しているだけで近点方向の把
握が視覚的にできて便利であると共に、操作性の手順を変更することなく目的の誘導マー
クが表示されるように操作するだけで良く、従って操作性に優れたレンズメーター光学機
器を提供することができるのである。
【００１４】
そして本発明においては被検レンズが何れであっても、最初に測定した所定の測定点に
おけるＣ値（シリンダ値）の測定値を基準値（Ｃ０値）とし、この所定の測定点から近
点に至る間の累進帯の中央線に対応させた測定点毎の測定シリンダ値（Ｃｎ値）との一致
度に関する段階的な閾値に関する設定区分と、これ等の設定区分毎に縦横比の異なる三角
形の近点誘導マークを対応させて設定し、測定値データのＣｎ値と設定区分毎に設定され
た一致度の閾値を比較判定して、該当する一致度に対応した一つの近点誘導マークを選択
し、当該近点誘導マークをレンズメーターのディスプレイに表示するよう近点誘導マーク
の表示手段が構成されていることを特徴とするので、被検レンズが遠近レンズ、中近レン
ズ及び近近レンズ等の何れの累進レンズであっても、夫々遠点または中点または第一の近
点を最初に測定する基準の測定点とすればよいので、何れの仕様形態の被検レンズであっ
ても対応可能で、然も正確な近点測定モードにおける近点誘導マークの表示可能なレンズ
メーターを提供することができるのである。
【図面の簡単な説明】
【００１５】
【図１】一般的なレンズメーターの説明用外観図。
【図２】本発明にかかる近点誘導マークの表示手段における近点誘導マークの代表的な形状変化を表す説明図と、従来の方式における二種類の誘導マークの事例を表す比較説明図。
【図３】本発明の近点誘導マークの表示手段における縦横比の異なる三角形状の近点誘導マークと一致度、並びに段階的な設定区分毎に対応した測定値との対応関係を表す説明用対象表。
【図４】本発明の近点誘導マークの表示手段を用いたレンズメーターにおける制御回路の一例を示す説明用回路図。
【図５】本発明の近点誘導マークの表示手段を用いたレンズメーターにおける近点ホールド状態を表示するディスプレイ画面の一例を示す説明図。
【図６】本発明の近点誘導マークの表示手段を用いたレンズメーターにおける遠点ホールド状態を表示するディスプレイ画面の一例を示す説明図。
【発明を実施するための形態】
【００１６】
以下本発明の一実施例について図面を参照しつつ説明する。
図１は、本発明の適用対象となるレンズメーターの外観を表す説明図で、レンズメーター
の基台２０ａに突設された光源を内蔵した下部収納部２１と、この上面に設けられた被検
レンズの載置台としてのノーズピース受２２、及びこれ等に対向して同軸的に本体上部に
配置された受光部を内蔵した上部収納部２３やレンズ押え２４と、眼鏡フレームを押し当
てるレンズテーブル２５が設けられていると共に、上記上部収納部２３の前面には、被検
レンズの模擬的な形状や測定データを表示すると共に、近点マークや遠点マークを表示す
るためのディスプレイ２６が配置され、併せて被検レンズに対する印点操作を行うための
印点レバー２７等が装備されており、図中２８は光学測定作業を完結させる際のホールド
ボタンを示し、これ等の構成は一般的なレンズメーターにおける構成と基本的に変わりは
ないので、その機能的な説明並びに操作要領などについては、詳細な説明を省略すること
とする。
【００１７】
本発明は、レンズメーター本体に特徴があるのではなく、被検レンズの測定時において
上記ディスプレイ２６に表示すべき誘導マークの表示手段に関するものであり、遠点測定中における後述する遠点マークや被検レンズの操作方向、及び測定点の位置の表示マーク等に関する変更はないが、遠点測定に引き続いて行うところの殊に、近点測定作業中において単一表示するところの近点誘導マークにかかわる近点誘導マークの表示要領に特徴を有するものであり、その個々の近点誘導マーク自体は、縦横比の異なる三角形を主体とする特殊な近点誘導マークを用いることを特徴とするものである。
以下図２乃至図５に基づいて詳述するに、図２ａに示す誘導マークの事例は、被検レンズ
の光学特性を測定する際に一般的に用いられているところの、測定点が左右方向にズレて
いることを指し示す左右方向の三角矢印イ、ロと、被検レンズを上下方向（前後方向）の
何れかに移動させるべきことを指し示す三角矢印ハの事例を示すものであり、これ等の従
来多用されている二種類の三角矢印イ、ロ、ハに対して、本発明にかかる縦横比が段階的
に異なるよう設定された近点誘導マーク１は、図２ｂにその代表的な一例を示す如き近点
誘導マーク１ａ又は１ｎの何れか一種類の近点誘導マーク（１ａまたは１ｎ）が設定に基
づいて判別選択され、この一種類の近点誘導マーク（１ａまたは１ｎ）の一つをディスプ
レイ２６に表示することを特徴とするものである。
【００１８】
つまり、本発明にかかる近点誘導マーク１は、前記したように遠点のホールド後に、引
き続いて近点の測定を行う際において、例えば近点誘導マーク１ａにおける横方向の幅寸
法のＢが、遠点において最初に測定されたシリンダ値を基準値のＣ０値としたとき、この
Ｃ０値と任意の測定点において測定されたシリンダ値Ｃｎとの差（例えば、差が仮にゼロ
であるならば一致度が高く、然もズレ量も少ないことを意味することとなる）のレベルに
対応させて設定されているものである。
即ち、図２ｂに示す近点誘導マーク１の横方向の寸法Ｂは、上記基準値となる遠点（最初
の所定の測定点）のシリンダ値Ｃ０値と、シリンダ軸から左右方向に離れた測定点におけ
るシリンダ値のＣｎ値の差（Ｃｎ−Ｃ０）との比例関係の絶対値に対して増減する寸法関
係として設定され、一方高さ方向の寸法Ｃは、上記絶対値に逆比例する寸法関係になるよ
う縦横比が決められると共に、これ等を更に段階的に、例えば本実施例の場合は、最初の
基準となる測定点の遠点から近点に至る各測定点における高さ（Ｃ寸法）と幅（Ｂ寸法）
の関係を、例えば十段階に区分すると共に、当該遠点から近点に至る間の各測定点におけ
る測定値（Ｃｎ値）の差（一致度）に関する設定区分の夫々に対応させて各々縦横比の異
なる三角形を関連付けて設定し、例えば近点測定中に得られた任意の測定点の測定値が、
後述の比較演算手段と判別制御手段等の制御回路により、これ等の段階的に設定された一
致度の設定区分における縦横比の何れかに近い値を持っている測定点であると判定される
ことにより、図３の対照表の如く、該当する測定点の測定値に対して割り当てられた縦横
比の近点誘導マーク１ａ乃至１ｎの何れか一つの近点誘導マーク１が選択され、これを近
点測定時においてディスプレイ２６の画面に表示するよう近点誘導マークの表示手段を構
成したものである。
【００１９】
なお、上記した近点誘導マーク１は、最初に測定された所定の測定点としての遠点の基
準測定値のＣ０値と任意点の測定値のＣｎ値との差、即ち換言するならば一致度とも言え
るものであるが、この一致度と言う観点から見た場合、差の大小に限らず、例えばＣｎ／
Ｃ０の比の割合を計算して、その計算値が１或いは１００％に近い程、測定点の一致度が
高いものと言うことができるので、当該シリンダ値の割合（Ｃｎ／Ｃ０）の計算値に応じ
て近点誘導マーク１の三角マークの縦横比Ｃ／Ｂを設定して、これを図３の対照表の如く
対応させることもできるものであり、こうして得た近点誘導マーク１の三角形の縦横比を
以って、累進帯の中央線に対する左右方向の距離関係と、累進帯の中央線に沿った最初の
所定の測定点である遠点から近点までの間の各測定点に対応させて段階的に設定された一
致度の閾値を夫々対応させ、一つの誘導マークで双方の距離と位置関係を同時に表すよう
に構成しても良く、その他適当な対比条件を以って近点誘導マーク１を設定して表示する
ことも可能であり、何れも本発明の技術的範囲に含まれるものである。
【００２０】
そして、上記の段階的に設定されたシリンダ値Ｃｎ値の差について更に詳述するに、例
えば累進帯を有する被検レンズの場合、遠点をホールドした際のシリンダ値Ｃ０を最初の
所定の測定点の基準値とするので、この遠点からの同一シリンダ面上の左右方向へのズレ
量（距離）は、任意の測定点のシリンダ値Ｃｎが累進帯の中央線に近いほど少ないことと
なり、前記シリンダ値の差（Ｃｎ−Ｃ０）の絶対値の許容可能な閾値を小さく設定すれば
するほど、測定及び誘導にかかわる精度の向上が果たせることとなると共に、累進帯の中
央線に沿う遠点から近点までの間の位置関係を、例えば等価球面度数を用いて段階的（十
段階）に区分することと併せて、これ等の設定区分毎に前述の比例及び反比例関係の下に
幅寸法Ｂと高さ寸法Ｃを設定してなる縦横比の異なる三角形を呈する近点誘導マーク１ａ
乃至１ｎについて、これ等を図３に一例を示す如き一致度の閾値区分と誘導マークの対象
表として区分設定してなり、当該対象表に基づく近点誘導マーク１の選択判別を行う後述
の判別制御手段４を有する制御回路５を設けてなることを特徴とするものであり、何れに
しても本発明の場合は、近点測定の際にディスプレイ２６に表示される近点誘導マーク１
は、累進帯の中央線からの左右のズレ量（距離）と累進帯の中央線に沿う近点までの間の
測定点に対する一致度の閾値区分として段階的に設定された測定点の位置情報として、一
つの近点誘導マークにより同時に然も段階的に表示することになるので、操作者は上記し
た近点誘導マーク１が図３の対象表に設定された最終的な近点位置の表示マーク１０とな
るように被検レンズを動かすだけで、自動的にかつ正確に誘導されるばかりでなく、操作
者は視覚的に一つの近点誘導マーク１のみを見ていれば良いと共に、その操作方向の適否
判断についても直感的に近点誘導マーク１の形状により判断できるのである。
つまり更に付言するならば、本発明においては近点誘導マークの三角形の縦横比を以って
、累進帯の中央線に対する左右方向の距離関係と、累進帯の中央線に沿った遠点から近点
までの間において、区分されると共に一致度毎に設定された位置関係を夫々対応させ、一
つの誘導マークで双方の距離と位置関係を同時に表すように近点誘導マークの表示手段を
構成したことを特徴とするものである。
【００２１】
また本発明における近点誘導マーク１の制御と判別回路の代表的な一例について、図４
を参照して説明するに、本発明の近点誘導マーク１を表示する光学機器装置としてのレン
ズメーター（例えば図１参照）には、測定光学系としての光源と所定の点像を受像する受
像手段と、測定データから被検レンズのシリンダ値、プリズム値、球面度数、屈折率等の
光学特性を演算する測定演算手段２を備えていることは勿論であり、その特徴とするとこ
ろは、前記したように、所定の一致度の閾値の下に段階的に設定区分された（図３参照）
対象表データと任意の測定点の測定値を比較する比較演算手段３と、当該比較結果に基づ
いて対応する最適な縦横比の異なる近点誘導マーク１を選択判別する判別制御手段４、及
びその選択結果をディスプレイ２６に表示させるべく信号指示制御を司る制御回路５を具
備している。
なお、これ等の縦横比の異なる三角形の近点誘導マーク１と所定の一致度の閾値の下に段
階的に設定区分された対象表と制御に関する技術的構成は、図示説明をしたものに限定さ
れるものではなく、他の適当な制御回路の構成を採用しても良い。
【００２２】
次に、被検レンズの測定要領について、以下図５及び図６を参照しつつ説明する。
図５は本発明の近点誘導マーク１を有する近点誘導マークの表示手段を採用したレンズメ
ーターにおける近点測定モードの時のディスプレイ画面の一実施例を示し、図６はレンズ
メーターにおける遠点測定モードの時のディスプレイ画面の一実施例を示す。
近点測定モードに先立って、測定操作者は最初に通常の遠点測定を行う。この時図６のデ
ィスプレイ画面には、被検レンズの左右方向への移動指示マーク６ａ、６ｂまたは遠点方
向を指示するための前後方向への移動指示マーク６ｃの何れかと、遠点マーク７及び、そ
の時の測定点の位置を示すカーソルマーク８が夫々表示されることとなるが、これ等の左
右方向への移動指示マーク６ａ、６ｂまたは前後方向への移動指示マーク６ｃによる表示
では、操作者は左右何れの方向へ被検レンズをどれだけの量だけ移動すればよいか判断で
きないばかりか、左右に移動してもこの移動指示マーク６ａ、６ｂの三角形状は変わるこ
とがなく、また、前後方向への移動指示マーク６ｃが表示されていて方向が判別できたと
しても、その移動操作量に伴って移動指示マーク６ｃの形状が変化することがないので、
操作者はその誘導操作に熟練度が要求されることとなるものであり、この遠点測定モード
画面に関しては、本発明におけるメリットも変更もなく、自由来技術と同じである。
本発明が対象とするところは、最初の所定の測定点として遠点マーク７が表示された図６
の状態から図５に示す近点測定モードに移行した場合であるので、以下これを詳述するこ
ととする。
上記遠点マーク７が把握されると、前記したように最初の測定点としての遠点のシリンダ
値Ｃ０を基準値とし、その他に測定可能な球面度数やプリズム値、或いは乱視度数などの
測定値についてこれ等をレンズメーター内に記憶させておく。
その後、その時の任意の測定点の位置に応じて測定されたシリンダ値Ｃｎに対応して、前
記制御回路５に従って選択された段階的に設定された距離区分に対応する一つの縦横比の
異なる三角形の近点誘導マーク１がディスプレイ２６に表示され、この近点誘導マーク１
は、前記したように被レンズの移動に合わせて段階的に自動的に変化し、被検レンズの移
動方向が正しく表示され、かつ累進帯の中央線に対するズレの範囲が許容範囲である限り
、左右の横幅Ｂが減少すると同時に高さ方向のＣ寸法が増大した三角形の近点誘導マーク
１から最終的な近点誘導マーク１０へと変化してディスプレイ２６に表示されるので、操
作者はとにかく段階的に近点誘導マーク１が変化する方向へと、視覚的にも直感的にも被
検レンズを移動するだけで近点への誘導操作目的を達成することができ、操作上の熟練度
がなくても容易にかつ正確に操作できるのである。なお、図５中の符号９は近点測定時の
カーソル位置を示す近点のカーソルマークである。
【００２３】
更に、操作者が近点位置を超えて被検レンズを行き過ぎ操作してしまった場合には、先
の図３に示したように縦横比の異なる三角形の近点誘導マーク１が、正確な近点の方向を
指し示すように近点誘導マーク１が図中符号１１で示すように反転表示されるので、操作
者は容易に近点を超えて操作してしまった状況を把握でき、被検レンズの移動方向の修正
操作を行うことができるのである。
そして、段階的に設定された区分の夫々に対応する縦横比の異なる三角形の近点誘導マー
ク１が最終的に近点の究極マーク１０に所定時間保持されると、自動的に近点ホールドモ
ードへと移行する。
なお、これ等の近点の究極マーク１０の形状や近点カーソルマーク９等の形状は、これ等
実施例に限定されるものではなく、必要に応じて種々変更した形状を採用しても構わない
と共に、段階的な設定区分についても実施例の如く十段階に設定することに限定されるも
のではなく、必要に応じて十段階以上か十段階以下にも設定することができるが、比較的
多い方が精度を向上できると共に、設定される区分毎の閾値についてもできるだけ厳しい
数値に設定することにより、誘導精度を向上できることは言うまでもない。
加えて、図５及び図６に示したレンズメーターのディスプレイ画面についても、図示した
レイアウト形状に限定されることなく、種々変更しても構わない。
【００２４】
なお上記した実施例では、被検レンズが累進レンズである場合の近点誘導モードの事例
について、その基準とすべき最初の所定の測定点を遠点とした実施例について説明して来
たが、本発明はこれに限らず、被検レンズがその他の中近レンズまたは近近レンズの場合
であっても、最初にシリンダ値を測定する所定の測定点を夫々中点または第一の近点とし
、そのシリンダ値を基準値（Ｃ０値）とするだけで良いので、種々の形式の累進レンズに
おいても縦横比の異なる三角形の近点誘導マークを使用することができ、近点への誘導操
作性の向上と操作者にとって扱いやすいレンズメーターを提供できるものである。
【産業上の利用可能性】
【００２５】
本発明は光学機器装置としてのレンズメーターにおいて、その近点測定モードにおける
近点誘導マークとして極めて単純かつ縦横比の異なる単一の三角形状の近点誘導マークを
有する近点誘導マークの表示手段を構成したので、レンズメーターの操作者にとって画期
的な操作性と誘導精度が得られるもので、利用可能性が高い。
【符号の説明】
【００２６】
１    近点誘導マーク
１ｎ  段階的な設定区分に対応した近点誘導マーク
２    光学特性の測定演算手段
３    比較演算手段
４    選択判定する判別制御手段
５    制御回路
Ｂ    近点誘導マークの幅方向の寸法
Ｃ    近点誘導マークの高さ方向の寸法
１０  近点誘導マークの最終形状
【手続補正２】
【補正対象書類名】特許請求の範囲
【補正対象項目名】全文
【補正方法】変更
【補正の内容】
【特許請求の範囲】
【請求項１】
眼鏡フレームに枠入れされた眼鏡レンズや、加工前の丸レンズ等の被検レンズ等におけ
る光学特性を測定するための測定光学系と、当該測定光学系による被検レンズにおける各
測定点における測定値の結果を画像として表示するディスプレイ手段と、上記測定光学系
による測定値に基づいてその測定点が被検レンズの少なくとも近点であることを判定する
判定手段を有するレンズメーターにおいて、被検レンズにおける最初に測定した所定の測
定点におけるシリンダー値の測定値を基準値（Ｃ０値）とし、この所定の測定点から近点
に至る間の累進帯の中央線に対応させて複数の区分を設け、当該複数の区分に対応させた
測定点における測定シリンダ値（Ｃｎ値）と基準値との一致度に関する段階的な閾値の区
分を設定すると共に、当該一致度の設定区分毎に縦横比の異なる三角形の近点誘導マーク
を設定し、測定値データのＣｎ値と設定区分毎における一致度の閾値との比較演算手段と、
当該比較演算手段に基づいて該当する一致度に対応する一つの近点誘導マークを選択して
該当する近点誘導マークへの表示切換え信号を前記ディスプレイ手段へ発信する判別制御
手段を設け、近点誘導マークの三角形状の先端が常に近点方向を指し示し、かつ近点に一
致したと判定された際には、所定時間の経過後に、三角形の近点誘導マークを近点のホー
ルドマークに変更表示するよう構成したことを特徴とするレンズメーターにおける近点誘
導マークの表示手段。
【請求項２】
縦横比の異なる三角形の近点誘導マークを有する近点誘導マークの表示手段は、測定点における測定値が累進帯の中央線に対する左右方向における設定された一致度の閾値を超えていると判定された場合に、その縦軸寸法が減少すると同時に横幅寸法が増した形状となるように縦横比を反映させた段階的な三角形の近点誘導マークの区分を設定し、単一の近点誘導マークでありながら累進帯の中央線に対する左右方向の距離関係と累進帯の中央線に沿う近点に対する位置関係を、縦横比の異なる三角形の近点誘導マークとして選択的に表示するよう構成したことを特徴とする前記請求項１項記載のレンズメーターにおける近点誘導マークの表示手段。
【請求項３】
縦横比の異なる三角形の近点誘導マークを有する近点誘導マークの表示手段は、近点を超えて行き過ぎた際に、三角形の近点誘導マークの先端が上下反転表示されて近点方向を指し示すよう構成されていることを特徴とする前記請求項１及び請求項２記載のレンズメーターにおける近点誘導マークの表示手段。
【請求項４】
被検レンズが遠点近点を有する累進レンズであるとき、最初に測定した所定の測定点が
遠点であることを特徴とする請求項１項、２項及び３項記載の何れか記載のレンズメータ
ーにおける近点誘導マークの表示手段。
【請求項５】
被検レンズが中点近点を有する累進レンズであるとき、最初に測定した所定の測定点が
中点であることを特徴とする請求項１項、２項及び３項記載の何れか記載のレンズメータ
ーにおける近点誘導マークの表示手段。
【請求項６】
被検レンズが近点と近点を有する累進レンズであるとき、最初に測定した所定の測定点
が第一の近点であることを特徴とする請求項１項、２項及び３項記載の何れか記載のレン
ズメーターにおける近点誘導マークの表示手段。
【手続補正書】
【提出日】令和1年11月5日(2019.11.5)
【手続補正１】
【補正対象書類名】特許請求の範囲
【補正対象項目名】請求項１
【補正方法】変更
【補正の内容】
【請求項１】
眼鏡フレームに枠入れされた眼鏡レンズや、加工前の丸レンズの被検レンズにおける光学特性を測定するための測定光学系と、当該測定光学系による被検レンズにおける各測定点における測定の結果を画像として表示するディスプレイ手段と、上記測定光学系による測定値に基づいてその測定点が被検レンズの少なくとも近点であることを判定する判定手段を有するレンズメーターにおいて、被検レンズにおける最初に測定した所定の測定点におけるシリンダー値の測定値を基準値（Ｃ０値）とし、この所定の測定点から近点に至る間の累進帯の中央線に対応させて複数の区分を設け、当該複数の区分に対応させた測定点における測定シリンダ値（Ｃｎ値）と基準値との一致度に関する段階的な閾値の区分を設定すると共に、当該一致度の設定区分毎に縦横比の異なる三角形の近点誘導マークを設定し、測定値データのＣｎ値と設定区分毎における一致度の閾値との比較演算手段と、
当該比較演算手段に基づいて該当する一致度に対応する一つの近点誘導マークを選択して該当する近点誘導マークへの表示切換え信号を前記ディスプレイ手段へ発信する判断制御手段を設け、近点誘導マークの三角形状の先端が常に近点方向を指し示し、かつ近点に一致したと判断された際には、所定時間の経過後に、三角形の近点誘導マークを近点のホールドマークに変更表示するよう構成したことを特徴とするレンズメーターにおける近点誘導マークの表示手段。
【手続補正２】
【補正対象書類名】明細書
【補正対象項目名】０００１
【補正方法】変更
【補正の内容】
【０００１】
本発明は、眼鏡フレームに枠入れされた眼鏡レンズや、加工前の丸レンズの被検レンズの光学特性を測定するための所謂レンズメーターに関し、殊に、被検レンズにおいて最初に測定した所定の測定点における測定値のＣ値（シリンダー値）を基準値とし、近点に至るまでの間における累進帯の中央線上の複数個の設定区分に対応させた縦横比の異なる三角形の近点誘導マークを設定して成る、レンズメーターにおける近点への誘導マークの表示手段に関する。
【手続補正３】
【補正対象書類名】明細書
【補正対象項目名】０００２
【補正方法】変更
【補正の内容】
【０００２】
眼鏡フレームに枠入れされた眼鏡レンズや、加工前の丸レンズにかかわる光学技術分野において、これ等被検レンズの光学特性を測定するための所謂レンズメーターが使用されており、殊に被検レンズが累進帯を持つ場合には、その近点と遠点の光学特性を正確に把握すると共に、眼鏡使用者の視力状態に最適な度数の眼鏡を提供することが求められており、この傾向は上記遠近累進レンズの他に近年は、中点と近点を備えた所謂中近レンズや、近くを見ることに特化した近点と近点を備えた近々レンズ等の様々な累進レンズが提供されるようになってきているので、これ等の所定点（近点、遠点、中点）の光学特性を正確に把握することが強く求められるようになって来た。
更に、この被検レンズの光学特性を測定する光学機器装置としては、装置の測定精度の正確性が要求されていると共に、測定者に対しては、測定の熟練度が高いほど好ましいので、測定者にしてみれば測定に関する操作の容易性が求められているのが現状である。
【手続補正４】
【補正対象書類名】明細書
【補正対象項目名】０００７
【補正方法】変更
【補正の内容】
【０００７】
本発明は、眼鏡フレームに枠入れされた眼鏡レンズや、加工前の丸レンズの被検レンズにおける光学特性を測定するための測定光学系と、当該測定光学系による被検レンズにおける各測定点における測定値の結果を画像として表示するディスプレイ手段と、上記測定光学系による測定値に基づいてその測定点が被検レンズの少なくとも近点であることを判定する判定手段を有するレンズメーターにおいて、被検レンズにおける最初に測定した所定の測定点におけるシリンダー値の測定値を基準値（Ｃ０値）とし、この所定の測定点から近点に至る間の累進帯の中央線に対応させて複数の区分を設け、当該複数の区分に対応させた測定点における測定シリンダ値（Ｃｎ値）と基準値との一致度に関する段階的な設定区分を設定すると共に、当該一致度の設定区分毎に縦横比の異なる三角形の近点誘導マークを設定し、測定値データのＣｎ値と設定区分毎における一致度の閾値との比較演算手段と、当該比較演算手段に基づいて該当する一致度に対応する一つの近点誘導マークを選択して該当する近点誘導マークへの表示切換え信号を前記ディスプレイ手段へ発信する判別制御手段を設け、近点誘導マークの三角形状の先端が常に近点方向を指し示し、かつ近点に一致したと判定された際には、所定時間の経過後に、三角形の近点誘導マークを近点のホールドマークに変更表示するようレンズメーターにおける近点誘導マークの表示手段を構成したことを特徴とするものである。
【手続補正５】
【補正対象書類名】明細書
【補正対象項目名】００１１
【補正方法】変更
【補正の内容】
【００１１】
本発明においては、眼鏡フレームに枠入れされた眼鏡レンズや、加工前の丸レンズの被検レンズにおける光学特性を測定するための測定光学系と、当該測定光学系による被検レンズにおける各測定点における測定値の結果を画像として表示するディスプレイ手段と、上記測定光学系による測定値に基づいてその測定点が被検レンズの少なくとも近点であることを判定する判定手段を有するレンズメーターにおいて、被検レンズにおける最初に測定した所定の測定点におけるシリンダー値の測定値を基準値（Ｃ０値）とし、この所定の測定点から近点に至る間の累進帯の中央線に対応させて複数の区分を設け、当該複数の区分に対応させた測定点における測定シリンダ値（Ｃｎ値）と基準値との一致度に関する段階的な設定区分を設定すると共に、当該一致度の設定区分毎に縦横比の異なる三角形の近点誘導マークを設定し、測定値データのＣｎ値と設定区分毎における一致度の閾値との比較演算手段と、当該比較演算手段に基づいて該当する一致度の閾値に対応する一つの近点誘導マークを選択して該当する近点誘導マークへの表示切換え信号を前記ディスプレイ手段へ発信する判別制御手段を設け、近点誘導マークの三角形状の先端が常に近点方向を指し示し、かつ近点に一致したと判定された際には、所定時間の経過後に、三角形の近点誘導マークを近点のホールドマークに変更表示するようレンズメーターにおける近点誘導マークの表示手段を構成したので、段階的な一致度の設定区分の設定数を例えば十段階に区別することにより、累進帯の中央線に沿う方向の測定と表示精度を容易に向上させることができるばかりでなく、その設定区分毎の左右方向のC値の差との一致度の閾値を、適宜（例えば等価球面度数０．０１以下）定めることにより、近点への誘導精度を軸振れなく格段に向上させたレンズメーターを提供することができ、実用的に遥かに優れたものとすることができるのである。